【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
プラットフォームを上昇させるための装置であって、
プラットフォームと、
前記プラットフォームに結合されており、
該プラットフォームを上昇させるモータと、
該モータは、モータ動作を表す電圧および電流を受け取る入力端を有し、
前記モータに入力される電流を測定するメカニズムとを有し、
該メカニズムは、所定の期間内でのモータスタートの回数を決定し、該モータスタートの回数が、所定期間内に所定の値を越える場合、前記モータから電力を除去する装置。
【請求項２】
入力される電流がホール効果デバイス（ＨＥＤ）により測定される請求項１記載の装置。
【請求項３】
少なくとも１つのユーザインジケータを有し、
該ユーザインジケータは、前記モータスタートの回数が、前記所定の値を前記所定の期間内に越えることを指示する請求項１記載の装置。
【請求項４】
前記モータの動作モードを選択するために、少なくとも１つの選択機構を有する請求項１記載の装置。
【請求項５】
前記モータは、遠心スイッチを備えるキャパシタスタートモータであり、
該遠心スイッチはモータ運転速度の７５％で切り替わる請求項１記載の装置。
【請求項６】
モータ駆動されるホイストの作動方法であって、
該ホイストはモータを有し、メンテナンスプラットフォームと結合されており、該プラットフォームを上昇するように動作し、
前記モータは、モータ動作を表す電圧および電流を受け取る入力端を有し、
該方法では、
１つの導体上の電流を測定し、
所定の期間内のモータスタートの回数を決定し、
前記モータスタートの回数が所定の値を、前記所定の期間内に上回ることを指示する方法。
【請求項７】
前記モータスタートの回数が前記所定の値を、前記所定の期間内に越える場合、モータから電力を除去する請求項６記載の方法。
【請求項８】
モータ駆動されるホイストの動作条件を決定し、該ホイストの動作モードを制御するシステムであって、
該ホイストはモータを有し、メンテナンスプラットフォームを上昇させるように動作可能であり、
該システムは、
モータ動作を表す電圧と電流を受け取る手段と、
所定の期間内のモータスタートの回数を決定する手段と、
前記モータスタートの回数が所定の値を、前記所定の期間内に上回る場合、モータから電力を除去する手段とを有するシステム。
【請求項９】
モータ駆動されるホイストの作動方法であって、
該ホイストは、モータを有し、メンテナンスプラットフォームを上昇させるように動作可能であり、
該モータは、モータ動作を表す電圧および電流を受け取る入力端を有し、
該方法では、
前記モータ動作を表す電圧および電流を受け取り、該電圧と電流に基づいて推定電力を決定し、
前記電流のパターンに基づいて、モータ動作条件に合致する前記モータの能力を決定し、
前記推定電力に基づいて、前記モータの過負荷の程度を決定し、
前記能力と前記程度の関数として、ホイストのさらなる動作を抑止する方法。
【請求項１０】
前記電流がホール効果デバイス（ＨＥＤ）により測定される請求項９記載の方法。
【請求項１１】
前記能力または前記程度が所定の値を越える場合、指示を行う請求項９記載の方法。
【請求項１２】
前記程度は、プラットフォームを上昇させるのに必要な電力の評価に基づいて求められる請求項９記載の方法。
【請求項１３】
前記推定電力は、前記電流と前記電圧の目下のサンプリング値を処理することにより決定される請求項１２記載の方法。
【請求項１４】
前記推定電力は、電流と電圧の波形の連続ハーフサイクルのピーク値に基づいて該推定電力のRMS値として、次式により
Ｐ＝０．５＊Vｐｅａｋ−ａｖｅ＊Ｉｐｅａｋ−ａｖｅ
導出される請求項１２記載の方法。
【請求項１５】
前記推定電力は、次式を用い、
【数１】
2011504866.tif 000001
ここでｎは、前記電圧のフルサイクル当たりで測定されるサンプリング数であり、
前記電流と前記電圧の連続サンプリング値に基づいて求められる請求項１２記載方法
【請求項１６】
前記モータが、当該モータに対するスタート条件より高い速度に達するのに十分なトルクを発揮できるかどうか、および前記過負荷の程度が所定のレベルを越えているかどうかを決定し、さらなる動作を抑止する請求項９記載の方法。
【請求項１７】
前記モータが、当該モータに対するスタート条件より高い速度に達するのに十分なトルクを発揮できるかどうか、および前記電圧が所定のレベルより低いかどうかを決定し、さらなる動作を抑止する請求項９記載の方法。
【請求項１８】
モータ駆動されるホイストの動作条件を決定し、該ホイストの動作モードを制御するシステムであって、
該ホイストは、モータを有し、メンテナンスプラットフォームを上昇させるように動作可能であり、
該システムは、
前記モータ動作を表す電圧および電流を受け取り、該電圧と電流に基づいて推定電力を決定する手段と、
前記電流のパターンに基づいて、モータ動作条件に合致する前記モータの能力を決定する手段と、
前記推定電力に基づいて、前記モータの過負荷の程度を決定する手段と、
前記能力と前記程度の関数として、ホイストのさらなる動作を抑止する手段とを有するシステム。
【請求項１９】
前記能力または前記程度が所定の値を越える場合、警報指示を行う請求項１８記載のシステム。
【請求項２０】
前記程度は、前記メンテナンスプラットフォームを上昇させるのに必要な電力の評価に基づいて求められる請求項１８記載のシステム。
【請求項２１】
前記推定電力は、前記電流と前記電圧の目下のサンプリング値を処理することにより決定される請求項２０記載のシステム。
【請求項２２】
前記推定電力は、電流と電圧の波形の連続ハーフサイクルのピーク値に基づいて該推定電力のRMS値として、次式により
Ｐ＝０．５＊Vｐｅａｋ−ａｖｅ＊Ｉｐｅａｋ−ａｖｅ
導出される請求項２０記載のシステム。
【請求項２３】
前記推定電力は、次式を用い、
【数２】
2011504866.tif 000002
ここでｎは、前記電圧のフルサイクル当たりで測定されるサンプリング数であり、
前記電流と前記電圧の連続サンプリング値に基づいて求められる請求項２０記載方法
【請求項２４】
供給電圧のゼロ交差点で前記モータに電圧を供給し、電流のゼロ交差点で電力を除去することにより、前記モータに電力を供給する請求項１８記載のシステム。
【請求項２５】
前記モータの動作モードを選択する手段を有する請求項１８記載のシステム。
【請求項２６】
光信号を受信する手段と、該受信された光信号に基づいて、前記モータに対する命令を決定する手段とを有する請求項１８記載のシステム。
【請求項２７】
温度を検出する手段と、前記モータにおける温度変化の時間速度に基づいて、前記モータを流れる電流を評価する手段とを有する請求項１８記載のシステム。
【請求項２８】
プラットフォーム負荷が前記モータの定格能力を越える場合、前記モータのストールまたはロックを検知する手段を有する請求項１８記載のシステム。
【請求項２９】
前記電圧が所定のレベルより低い場合、前記モータのストールまたはロックを検知する手段を有する請求項１８記載のシステム。
【請求項３０】
さらなる動作を抑止するために、前記モータが、当該モータに対するスタート条件より高い速度に達するのに十分なトルクを発揮できるかどうか、および前記過負荷の程度が所定のレベルを越えているかどうかを決定する手段を有する請求項１８記載のシステム。
【請求項３１】
さらなる動作を抑止するために、前記モータが、当該モータに対するスタート条件より高い速度に達するのに十分なトルクを発揮できるかどうか、および前記電圧が所定のレベルより低いかどうかを決定する手段を有する請求項１８記載のシステム。